(57)【要約】【課題】間接活線作業用の工具を接続部に接続した状態で回転させても固定部が接続部側に変位することなく、作業員が遠隔から間接活線作業用工具で操作することにより間接活線作業用の先端工具を締め付けて確実に固定することが可能な固定部を備えた間接活線作業用の共用操作棒を提供する。【解決手段】共用操作棒１は、棒状部材２と先端工具５を接続可能な接続部３と先端工具５をロックするための固定部４とを有し、固定部４は、傾斜部４１２と傾斜部４１３とが算盤珠状に連接された芯部分４１と、この芯部分４１の軸方向に沿ってスライドして先端工具５に当接することができるスライド部材４２とで構成され、スライド部材４２は、芯部分４１の側面に当接する複数の当部４２２ａを備えた押圧部４２２を有し、押圧部４２２の各当部４２２ａは、芯部分４１の径方向にて芯部分４１を押していると共にスライド部材４２の径方向外側には操作部４２３が突出形成されたものとする。【選択図】図１
2013102629.tif 000002
【特許請求の範囲】
【請求項１】
直線状に延びる棒状部材と、この棒状部材の一方端に設けられて間接活線作業に使用する工具を接続可能な接続部と、前記接続部に接続された工具を固定するための固定部とを有し、
前記固定部は、前記棒状部材の一部を構成する芯部分と、この芯部分の軸方向に沿ってスライドし、前記接続部側にスライドした際に前記工具に当接可能なスライド部材とで少なくとも構成され、
前記スライド部材は、前記芯部分の側面に当接する複数の当部を備えた押圧部を有し、前記押圧部の各当部は、前記芯部分の径方向にて前記芯部分を押していると共に、前記スライド部材の径方向外側には操作部が突出形成されていることを特徴とする間接活線作業用の共用操作棒。
【請求項２】
前記スライド部材の押圧部は、弾性機構により前記当部を前記芯部分側に向けて付勢していることを特徴とする請求項１に記載の間接活線作業用の共用操作棒。
【請求項３】
前記芯部分は、前記接続部側に進むに従い径方向の外側に向けて拡がるように傾斜した第１の傾斜部と、この第１の傾斜部より前記接続部側に形成され、前記接続部側に進むに従い径方向の内側に向けて窄まるように傾斜した第２の傾斜部とを連接して成ることを特徴とする請求項１又は請求項２に記載の間接活線作業用の共用操作棒。
【請求項４】
前記芯部分は、径寸法が変化しない直線状部分が前記第１の傾斜部に連接し、この直線状部分の軸方向寸法は少なくとも前記スライド部材の軸方向寸法と同じ幅であると共に、前記第２の傾斜部は前記棒状部材の接続部側端まで形成されていることを特徴とする請求項３に記載の間接活線作業用の共用操作棒。
【請求項５】
前記スライド部材は、前記スライド部材のスライドする範囲を前記芯部分の径方向外側から覆うカバー部材を有し、このカバー部材には前記操作部が外部に突出するための操作部挿通部が形成されていることを特徴とする請求項１から請求項４のいずれかに記載の間接活線作業用の共用操作棒。
【請求項６】
前記カバー部材は、前記操作部挿通部の接続部側の端部とこの接続部側とは反対側の端部とに第１の磁石が配されていると共に、前記スライド部材の操作部は、前記カバー部材の第１の磁石と吸着する第２の磁石が配されていることを特徴とする請求項５に記載の間接活線作業用の共用操作棒。
【発明の詳細な説明】
【技術分野】
【０００１】
この発明は、多種多様な間接活線作業用の先端工具を接続するための接続部と、接続部に接続された先端工具を固定する固定部とを有する共用操作棒に関し、特に共用操作棒の固定部の構造に関する。
【背景技術】
【０００２】
近年において、作業現場周囲の停電を回避するために、高圧配電線を充電したまま作業員は充電部から距離を採って作業を行う間接活線工事が採用されるようになってきており、このような間接活線工事では、例えば特許文献１等に示されるように、多種多様な先端工具をその先端に接続することが可能な共用操作棒（絶縁操作棒やホットスティック等とも称する。）が用いられる。
【０００３】
特許文献１に示される共用操作棒の先端に設けられた先端工具と接続するための接続部は、その頂部に共用操作棒の軸線上に位置する孔が形成され、この孔にコイルスプリングで付勢された凸型部材が孔部から出没可能に収納されると共に、その側周面には係止用突起が相互に離間して突出形成されたものとなっている。そして、接続部の基端側には短筒状の固定ネジから成る固定部が配置されており、この固定ネジの内周側には共用操作棒の棒状部材の接続部側部位に形成された雄ネジと噛み合う雌ネジが形成されている。これにより、先端工具を接続部に装着した際に先端工具にガタツキがある場合には、固定ネジを回転させて固定ネジを共用操作棒の棒状部材の先端側に移動させることにより、固定ネジは先端工具のアダプタと当接し、接続部が先端工具のアダプタ内に不必要に進入するのが規制され、係止用突起のアダプタの溝内での動きも規制されるので、先端工具の接続部への固定が図られている。
【先行技術文献】
【特許文献】
【０００４】
【特許文献１】特開２００８−７９４３２号公報
【発明の概要】
【発明が解決しようとする課題】
【０００５】
もっとも、固定ネジの先端工具のアダプタへの当接・締め付けが緩いと、接続部に接続された先端工具がガタついてしまい、先端工具に対し下方から力が加わることにより先端工具が外れて落下し、作業員が怪我をするおそれがある。また、先端工具が間接活線作業中にガタツキを生ずると、ケーブル等の重い部材を先端工具で持つ際に、作業員は共用操作棒の棒状部材のうちの持ち手の上限を定める安全限界ツバよりも上側の部位を持ってしまい、感電などの事故を生ずるおそれもある。このため、先端工具にガタツキがあれば先端工具の締め付け直しを行う必要があるが、特許文献１に示される固定ネジの構成では、先端工具のアダプタへの当接・締め付けを行うためには、作業員が手で固定ネジの回転操作を行う必要があるので、作業を中止し共用操作棒の先端を手元に引き寄せなければならず、先端工具の締め付け直しの作業が煩雑となるという不具合を生ずる。
【０００６】
また、先端工具自体を回転させることにより電線を保持する機能を有する一方で作業完了後に共用操作棒を外さないといけない先端工具を共用操作棒の接続部に接続するときには、特許文献１に示される固定ネジの構成では、先端工具の回転に伴って固定ネジも先端工具側に回転して、先端工具に当接し意図に反して先端工具を締め付けてしまうことがあり、この場合には先端工具の共用操作棒からの取り外しができなくなり、先端工具を回転前に戻して作業をやり直すという不都合を有する。しかも、作業のやり直しのために先端工具を外す際に、先端工具が充電している場合には放電させる必要もあるので、間接活線工事全般がより煩雑化することとなる。
【０００７】
そこで、本発明は、間接活線作業用の工具を接続部に接続した状態で回転させても固定部が接続部側に変位することなく、作業員が遠隔から操作することにより間接活線作業用の工具を締め付けて確実に固定することが可能な固定部を備えた間接活線作業用の共用操作棒を提供することを目的とする。
【課題を解決するための手段】
【０００８】
この発明に係る間接活線作業用の共用操作棒は、直線状に延びる棒状部材と、この棒状部材の一方端に設けられて間接活線作業に使用する工具を接続可能な接続部と、前記接続部に接続された工具を固定するための固定部とを有し、前記固定部は、前記棒状部材の一部を構成する芯部分と、この芯部分の軸方向に沿ってスライドし、前記接続部側にスライドした際に前記工具に当接可能なスライド部材とで少なくとも構成され、前記スライド部材は、前記芯部分の側面に当接する複数の当部を備えた押圧部を有し、前記押圧部の各当部は、前記芯部分の径方向にて前記芯部分を押していると共に、前記スライド部材の径方向外側には操作部が突出形成されていることを特徴としている（請求項１）。そして、前記スライド部材の押圧部は、弾性機構により前記当部を前記芯部分側に向けて付勢していることを特徴としている（請求項２）。ここで間接活線作業に使用する工具とは例えばカットアウト接続器具、バインド打器等の多種多様な先端工具である。押圧部の当部の数は３つ以上でスライド部材の円周方向に均等に配置されていれば良い。スライド部材の径方向外側に突出形成された操作部の数は１つでも、２つでも、更には４つ以上であっても良い。また、弾性機構は、例えばコイルスプリングである。
【０００９】
これにより、スライド部材が芯部分において共用操作棒の接続部とは反対側に位置しているとき及びスライド部材が芯部分において共用操作棒の接続部側に位置しているときには、押圧部の各当部が芯部分の側面を押圧するので、スライド部材の押圧部全体による芯部分に対する周囲からの締め付けが行われ、スライド部材は固定される。
【００１０】
また、前記芯部分は、前記接続部側に進むに従い径方向の外側に向けて拡がるように傾斜した第１の傾斜部と、この第１の傾斜部より前記接続部側に形成され、前記接続部側に進むに従い径方向の内側に向けて窄まるように傾斜した第２の傾斜部とを連接して成ることを特徴としている（請求項３）。
【００１１】
これにより、スライド部材の操作部を押し上げて共用操作棒の接続部とは反対側の位置から接続部側にスライドさせた際には、芯部分の第１の傾斜部と第２の傾斜部との境界の突部を越えた後においては、接続部側に進むに従い窄むように傾斜した傾斜面を備えた第２の傾斜部に移るので、スライド部材が接続部側に向かう力が発生する。また、スライド部材の操作部を引き下げて共用操作棒の接続部とは反対側にスライドさせた際には、芯部分の第１の傾斜部と第２の傾斜部との境界の突部を越えた後においては、接続部とは反対側に進むに従い窄むように傾斜した傾斜面を備えた第１の傾斜部に移るので、スライド部材が接続部とは反対側に向かう力が発生する。
【００１２】
更に、前記芯部分は、径寸法が変化しない直線状部分が前記第１の傾斜部に連接し、この直線状部分の軸方向寸法は少なくとも前記スライド部材の軸方向寸法と同じ幅であると共に、前記第２の傾斜部は前記棒状部材の接続部側端まで形成されていることを特徴としている（請求項４）。
【００１３】
これにより、スライド部材が共用操作棒の接続部とは反対側にある直線状部に位置したときには、スライド部材に対して接続部とは反対側に向かう力が働かず、スライド部材が共用操作棒の接続部側では、接続部側端まで窄まる傾斜面を備えた第２の傾斜部となっているためスライド部材に対し接続部側に向かう力が働き続けるので、接続部に接続された状態の間接活線作業用の工具に当接するまでスライド部材は自然にスライドする。
【００１４】
更にまた、前記スライド部材は、前記スライド部材のスライドする範囲を前記芯部分の径方向外側から覆うカバー部材を有し、このカバー部材には前記操作部が外部に突出するための操作部挿通部が形成されていることを特徴としている（請求項５）。そして、前記カバー部材は、前記操作部挿通部の接続部側の端部とこの接続部側とは反対側の端部とに第１の磁石が配されていると共に、前記スライド部材の操作部は、前記カバー部材の第１の磁石と吸着する第２の磁石が配されていることを特徴としている（請求項６）。第１及び第２の磁石は例えは強力な磁力を有する永久磁石である。また、操作部挿通部は、接続部とは反対側が閉じ接続部側が開放された切欠き部であっても、接続部側と接続部とは反対側との双方が閉じられた孔部であっても良い。更に、操作部挿通部の接続部側の端位とは、例えば操作部挿通部が切欠き部の場合には芯部分と平行に延びる内周面の最も接続部側の部位を示し、操作部挿通部の接続部とは反対側の端位とは、例えば操作部挿通部が切欠き部の場合には芯部分と平行に延びる内周面の最も接続部とは反対側の部位を示す。更にまた、操作部挿通部の接続部側の端位とは、例えば操作部挿通部が孔部の場合には芯部分と平行に延びる内周面の最も接続部側の部位又は孔部の接続部側を閉じる内周面を示し、操作部挿通部の接続部とは反対側の端位とは、例えば操作部挿通部が孔部の場合には芯部分と平行に延びる内周面の最も接続部とは反対側の部位又は孔部の接続部とは反対側を閉じる内周面を示す。
【００１５】
これにより、スライド部材はカバー部材により保護されると共に、スライド部材が共用操作棒の接続部とは反対側に位置しているとき及びスライド部材が共用操作棒の接続部側に位置しているときには、カバー部材の操作部挿通部の接続部側の端部とこの接続部側とは反対側の端部とに配された第１の磁石とスライド部材の操作部に配された第２の磁石とが吸着するので、スライド部材はより確実に固定される。
【発明の効果】
【００１６】
以上のように、請求項１から請求項６に記載の発明によれば、スライド部材が共用操作棒の接続部とは反対側に位置している場合には、スライド部材の各当部は芯部分のうち第１の傾斜部の最も径寸法が小さい部位が直線状部の側面を押圧するため、スライド部材の押圧部全体による芯部分に対する周囲からの締め付けが行われ、スライド部材は固定された状態になり、このスライド部材に対する固定はスライド部材の回転による影響を受けない。このため、接続部に接続された間接活線作業用の工具を回転してもスライド部材が作業員の意図に反して接続部側に変位して、間接活線作業用の工具をロックしてしまうのを防止することができる。
【００１７】
また、請求項１から請求項６に記載の発明によれば、スライド部材が共用操作棒の接続部に位置している場合には、スライド部材の各当部は芯部分のうち第２の傾斜部の最も径寸法が小さい部位の側面を押圧するため、スライド部材の押圧部全体による芯部分に対する周囲からの締め付けが行われ、スライド部材は固定された状態になるので、スライド部材は間接活線作業用の工具と当接した状態を維持することから、接続部に接続された間接活線作業用の工具がガタつくことがない。このため、間接活線作業用の工具が落下したり、作業員が共用操作棒の上限を定める安全限界ツバよりも接続部側を持ってしまい感電したりすることもない。
【００１８】
更に、請求項１から請求項６に記載の発明によれば、スライド部材を接続部側に変位させるためにスライド部材を回転させる操作を不要とし、スライド部材の操作部を押し上げたり、引き下げたりすることによりスライド部材を接続部側に変位させることが可能であるので、スライド部材による間接活線作業用の工具のロックとロックの解除とについても間接活線作業として行うことができる。
【００１９】
特に請求項３に記載の発明によれば、スライド部材が共用操作棒の接続部とは反対側に位置しているとき及びスライド部材が共用操作棒の接続部側に位置しているときには、スライド部材は、スライド部材に工具等が当たった程度の力では芯部分の第１の傾斜部と第２の傾斜部との境界の突部を越えることがないため、スライド部材は共用操作棒の接続部とは反対側又は共用操作棒の接続部側の位置に維持されるので、スライド部材の固定がより確実に行われる。
これに対し、スライド部材の操作部を押して共用操作棒の接続部とは反対側の位置から接続部側にスライドさせた際には、芯部分の第１の傾斜部と第２の傾斜部とで形成された突部を越えた後においては、接続部側に進むに従い窄まるように傾斜した傾斜面を備えた第２の傾斜部に移るため、スライド部材が接続部側に向かう力が発生するので、スライド部材を円滑に接続部側までスライドさせることが可能となり、間接活線作業用の工具をロックすることができる。
また、また、スライド部材の操作部を引き下げて共用操作棒の接続部とは反対側にスライドさせた際には、芯部分の第１の傾斜部と第２の傾斜部との境界の突部を越えた後においては、接続部とは反対側に進むに従い窄まるように傾斜した傾斜面を備えた第１の傾斜部に移るため、スライド部材が接続部とは反対側に向かう力が発生するので、スライド部材を円滑に接続部とは反対側までスライドさせることが可能となり、間接活線作業用の工具のロックを解除することができる。
【００２０】
特に請求項４に記載の発明によれば、スライド部材が共用操作棒の接続部とは反対側にある直線状部に位置したときには、スライド部材に対し接続部とは反対側に向かう力が働かずスライド部材を静止状態とすることができる。また、スライド部材が共用操作棒の接続部側に位置したときには、接続部側に進むに従い窄まるように傾斜した傾斜面を備えた第２の傾斜部となっているため、スライド部材に対し接続部側に向かう力が働き続ける。このため、接続部に接続された状態の間接活線作業用の工具に当接するまでスライド部材は変位するので、間接活線作業用の工具のアダプタの規格がバラバラであってもスライド部材は間接活線作業用の工具に確実に当接することができる。更に、スライド部材は間接活線作業用の工具に当接した状態を維持し続けるので、間接活線作業用の工具のガタつきを確実に防止することができる。
【００２１】
特に請求項５、６に記載の発明によれば、スライド部材が共用操作棒の接続部とは反対側に位置しているとき及びスライド部材が共用操作棒の接続部側に位置しているときには、カバー部材の操作部挿通部の接続部側の端部とこの接続部側とは反対側の端部とに配された第１の磁石とスライド部材の操作部に配された第２の磁石とが吸着するので、スライド部材をより確実に固定することができる。
【図面の簡単な説明】
【００２２】
【図１】図１は、この発明に係る間接活線作業用の共用操作棒の接続部及び固定部の構成を示す説明図であり、図１（ａ）は共用操作棒の固定部を構成するカバー部材の外観を簡略に示す外観図、図１（ｂ）はこの固定部のカバー部材内の構成を簡略に示す断面図である。
【図２】図２は、上記共用操作棒を構成するスライド部材の構成を示す説明図であり、図２（ａ）は図２（ｂ）のＡ−Ａ線断面図、図２（ｂ）はスライド部材の押圧部の構成が良く分かる様に示した平面図である。
【図３】図３は、上記共用操作棒の固定部を構成する芯部分の構成と、スライド部材が配置された位置とを示す断面図であって、スライド部材の押圧部が芯部分の突部よりも接続部とは反対側に位置する状態を示す説明図である。
【図４】図４は、上記共用操作棒の固定部を構成する芯部分の構成と、スライド部材が配置された位置とを示す断面図であって、スライド部材の押圧部が芯部分の突部よりも接続部側に位置する状態を示す説明図である。
【図５】図５は、上記共用操作棒の固定部を構成する芯部分の構成と、スライド部材が配置された位置とを示す断面図であって、スライド部材の押圧部の当部が芯部分の突部の頂に位置する、スライド部材のスライド途中の状態を示す説明図である。
【図６】図６は、スライド部材を、間接活線作業用の一環として、バインド器具でスライドさせる操作方法を示す説明図であって、図６（ａ）はスライド部材の操作部をバインド器具のフックの背で押し上げる方法を示し、図６（ｂ）はスライド部材の操作部にバインド器具を引き掛けて引き下げる方法を示している。
【発明を実施するための形態】
【００２３】
以下、この発明の実施形態を図面に基づいて説明する。
【００２４】
図１及び図６において、この発明に係る間接活線作業用の共用操作棒１の長手方向の一方側の部分が示されている。この共用操作棒１は、直線状に延びる操作棒本体２と、この操作棒本体２の一方端に設けられた接続部３と、接続部３に接続された間接活線作業用の先端工具５（図３から図５で１点鎖線にて示す。）をロックするための固定部４とで構成されている。
【００２５】
操作棒本体２は、絶縁素材で形成された長尺の円筒状のもので、その中間部位には、図示しないが、間接活線作業において感電事故を防止するべく、作業者が握ってよい位置と握ってはいけない位置とを区別するための安全限界ツバが外嵌されている。また、この安全限界ツバよりも接続部３側には、図示しないが、雨水の流下を防止するための水切りツバが外嵌されている。そして、操作棒本体２の接続部３側とは反対側端から安全限界ツバまでの範囲が作業員の手で握るグリップ部となっている。
【００２６】
接続部３は、先端工具５のアダプタと接続するためのもので、頭部３１と、この頭部３１の頂面に配された突起部３２と、頭部３１の側面から対称な位置となるように突出した側方突起部３３、３０３とを有して構成されている。このうち、突起部３２は、頭部３１の内部に収納されたコイルスプリング等の弾性機構（図示せず。）により外方に向けて付勢されて、頭部３１の頂面から突出したり頭部３１の頂面内に没入したりすることが可能となっている。
【００２７】
先端工具５のアダプタは、公知のため図示しないが、接続部３の頭部３１を挿入可能な孔部を有する有底の筒状の部材であり、側面には２つのスリットが略対称となる位置に形成されている。各スリットは、例えば前記孔部の開口端から孔部の軸方向に沿って側面の途中まで延びた後に、前記孔部の径方向の両側に向かって延びる略Ｔ字状の形状をなしている。すなわち、この場合のスリットは、前記孔部の軸方向に延びる縦スリット部分と、前記孔部の径方向に延びる横スリット部分とを有しており、更に横スリット部分の延出方向側には前記孔部の開口端側に若干延びた延長スリット部分を有している。
【００２８】
このような共用操作棒１の接続部３の構成と先端工具５のアダプタの構成とすることにより、先端工具５は共用操作棒１の接続部３に対して以下の手順にて接続される。
【００２９】
まず、先端工具５のアダプタの前述した有底の孔部に接続部３の頭部３１を挿入する。その際、頭部３１の側方突起部３３、３３がアダプタの前述したスリットのうち縦スリット部分と一致するように、接続部３の頭部３１の向きを調整する。先端工具５のアダプタの孔部に接続部３の頭部３１を挿入し続けると、頭部３１の突起部３２が孔部の底面に当接し、更に先端工具５のアダプタの孔部に接続部３の頭部３１を挿入し続けることで、頭部３１の突起部３２は弾性機構の付勢力に抗して頭部３１内に没入していき、最終的には頭部３１の頂面が直接にアダプタの孔部の底面に当接する。このとき、頭部３１の側方突起部３３はアダプタのスリットの縦スリット部分と横スリット部分とが交差する部位にある。そこで、接続部３を回転させて側方突起部３３がアダプタのスリットの横スリット部分内を移動するようにする。そして、アダプタのスリットの横スリット部分と延長スリット部分とが交差する箇所まで側方突起部３３が達すると、頭部３１の突起部３２が弾性機構の付勢力によりアダプタの孔部の底面を押す作用が働き、側方突起部３３がアダプタのスリットの延長スリット部分の延出方向端側に移動することで、接続部３の頭部３１はアダプタの孔部の軸方向に沿ってこの孔部の開口端に向かって移動するが、側方突起部３３がアダプタのスリットの延長スリット部分の延出方向端に突当することで、側方突起部３３のそれ以上の移動が規制される。これにより、先端工具５は共用操作棒１の接続部３に接続される。
【００３０】
固定部４は、この実施例では、図１、図３から図５に示されるように、操作棒本体２の一部でもある芯部分４１と、この芯部分４１の軸方向に沿ってスライドするスライド部材４２と、スライド部材４２のスライドする範囲を芯部分４１の径方向外側から覆うカバー部材４３とで構成されている。
【００３１】
芯部分４１は、図３から図５に示されるように、この実施例では接続部３とは反対側から見て、直線状部４１１、傾斜部４１２、傾斜部４１３の３つの部位が順次連接して構成されている。このうち、直線状部４１１は、この直線状部４１１の一方端から他方端まで径方向寸法が均等な円柱状となっており、その軸方向に沿った寸法は後述するスライド部材４２の軸方向寸法と略同じか、それよりも大きくなっている。また、傾斜部４１２は、直線状部４１１側から接続部３側に向かうに従い徐々に芯部分４１の径方向外側に拡がるように直線状に傾斜した傾斜側面を有する略円錐台状となっている。そして、傾斜部４１３は、傾斜部４１２側から接続部３側に向かうに従い徐々に芯部分４１の径方向内側に窄まるように直線状に傾斜した傾斜側面を有する略円錐台状となっている。
【００３２】
傾斜部４１２と傾斜部４１３とで見た場合には、略算盤珠の形状をなしている一方で、傾斜部４１２の傾斜角度の方が傾斜部４１３の傾斜角度よりも大きくなっている。そして、傾斜部４１３は、直線状部４１１のような径方向寸法が均等な円柱状の部位と連接しておらず、接続部３との境界となる操作棒本体２の接続部３側端まで延びたものとなっている。
【００３３】
スライド部材４２は、図２に示されるように、円環状部４２１と、押圧部４２２と、操作部４２３とで基本的に構成されている。
【００３４】
円環状部４２１は、円状の貫通孔４２１ａを有しており、貫通孔４２１ａの内径寸法は、芯部分４１に外挿したかたちで芯部分４１の長手方向に沿ってスライドすることが可能なように、芯部分４１の最大外径寸法となる傾斜部４１２と傾斜部４１３との境界の突部よりも若干大きくなっている。
【００３５】
押圧部４２２は、芯部分４１を周囲から締め付けるもので、この実施例では、芯部分４１の側面に当接することが可能な４つの弾丸状の当部４２２ａと、当部４２２ａを芯部分４１側に対し芯部分４１の径方向に沿って付勢するための４つのコイルスプリング４２２ｂとを円環状部４２１の円周方向に沿って均等に有して構成されている。但し、押圧部４２２が有する当部４２２ａ及びコイルスプリング４２２ｂの数はこれに限定されず、芯部分４１を周囲から締め付けることが可能であれば、３つでも、５つでも、更には６つ以上であっても良い。また、当部４２２ａを付勢する手段はコイルスプリング４２２ｂに限定されず、当部４２２ａを付勢することが可能な弾性機構であればいずれのものでも良い。
【００３６】
そして、当部４２２ａ及びコイルスプリング４２２ｂは、円環状部４２１に貫通孔４２１ａの内周面から径方向外側に延びる有底の装着孔４２１ｂを形成し、この装着孔４２１ｂの底面にコイルスプリング４２２ｂの当部４２２ａが連結された側とは反対側の端部を固定することで、円環状部４２１に設けられたものとなっている。装着孔４２１ｂの底面までの深度は、コイルスプリング４２２ｂが最も収縮した際に当部４２２ａが装着孔４２１ｂ内に完全に没入することができると共に、コイルスプリング４２２ｂが最も拡がった際に当部４２２ａの頭が装着孔４２１ｂから出て芯部分４１の直線状部４１１に当接し押圧することができる寸法となっている。尚、コイルスプリング４２２ｂは相対的に大きな付勢力が発生する強化スプリングなどが用いられる。
【００３７】
操作部４２３は、この実施例では、円環状部４２１の外周面から均等な間隔で４つ突出形成されている。もっとも、操作部４２３の数は４つに限定されず、１から３の数であっても、５つ以上であっても良い。
【００３８】
各操作部４２３は、図２に示されるように、円環状部４２１の径方向に延びる棒状部分４２３ａと、この棒状部分４２３ａの延出方向端に設けられた円板状の頭部４２３ｂとで構成され、頭部４２３ｂは棒状部分４２３ａの外径寸法より大きな外径寸法を有している。そして、棒状部分４２３ａは、下記するカバー部材４３内にスライド部材４２を装着した際に、カバー部材４３の外面から突出し、そのカバー部材４３からの突出量もバインド打器等の間接活線作業用の工具で押したり、引き掛けたりすることができるものとなっている。更に、棒状部分４２３ａは、この実施例では、円環状部４２１側となる延出方向の基部において磁石４４を有している。この磁石４４は、図示されるように棒状部分４２３ａ内に収められていても、図示しないが棒状部分４２３ａの側面の外側に配置されていても良い。
【００３９】
尚、操作部４２３と押圧部４２２とは、図２（ｂ）に示されるように別個のものであり、連動するようにはなっていない。
【００４０】
カバー部材４３は、共用操作棒１の操作棒本体２と一体に形成されているもので、芯部分４１の直線状部４１１よりも接続部３とは反対側の部位から操作棒本体２の径方向に延びた後、接続部３側に向けて芯部分４１の軸方向に沿って延びる板状のものであり、その延出方向の先端は、この実施例では接続部３の突起部３２とは反対側端まで達している。すなわち、カバー部材４３は、スライド部材４２がスライドする範囲を芯部分４１の径方向外側から覆うものとなっている。
【００４１】
そして、カバー部材４３の操作棒本体２の径方向に延びる寸法は、芯部分４１にスライド部材４２を装着した際における、芯部分４１の直線状部４１１の周面から円環状部４２１の外周面までの寸法より若干大きくなっており、スライド部材４２がカバー部材４３内を円滑に動くことができるようになっている。
【００４２】
また、カバー部材４３の芯部分４１の軸方向に沿って延びる部位には、スライド部材４２の操作部４２３の数と同じ数の操作部挿通部４３１が形成されている。この操作部挿通部４３１は、スライド部材４２の操作部４２３の棒状部分４２３ａが挿通可能な短手方向寸法を有すると共に、その長手方向寸法は操作部４２３の棒状部分４２３ａが芯部分４１の軸方向に沿って変位する範囲に合ったものとなっている。操作部挿通部４３１は、この実施例では、スライド部材４２の着脱を容易にするため、接続部３側が開放された切欠き部となっているが、必ずしもこれに限定されず、接続部３側と接続部３とは反対側の双方が閉じられた孔部であっても良い。そして、カバー部材４３は、操作部挿通部４３１の長手方向の接続部３側の端部と接続部３とは反対側の端部とにそれぞれ磁石４５が配置されている。これらの磁石４５は、スライド部材４２が接続部３側のスライド限界域又は接続部３とは反対側のスライド限界域に至ったときに、操作部４２３の棒状部分４２３ａが有する磁石４４と相互に吸着することができるように、操作部４２３の磁石４４とは異なる極同士にて対峙するように配置されている。
【００４３】
以上の共用操作棒１の固定部４の構成に基づき、固定部４が先端工具５をロックしない状態にある場合と、固定部４が先端工具５をロックした状態にある場合と、固定部４が先端工具５をロックし又はそのロックを解除するためにどのようになるかにつき、図３から図５を用いて説明する。
【００４４】
図３において、固定部４が先端工具５をロックしない状態又は先端工具５に対するロックが解除された状態が示されている。この状態において、スライド部材４２は、芯部分４１の直線状部４１１の位置にあり、押圧部４２２の当部４２２ａは、直線状部４１１の芯部分４１の軸方向に沿って延びる側面を四方から芯部分４１の径方向に押圧している。そして、芯部分４１の直線状部４１１よりも接続部３側には相対的に傾斜角度が大きな傾斜部４１２が配置されており、スライド部材４２がこの傾斜部４１２の側面に当部４２２ａが接しながら接続部３側にスライドするには、コイルスプリング４２２ｂを縮小させるための大きな力を必要とする。更には、スライド部材４２の操作部４２３の棒状部分４２３ａが有する磁石４４は、カバー部材４３のスリット部４３１が接続部３とは反対側端に有する磁石４５と吸着されている。
【００４５】
よって、スライド部材４２は、カバー部材４３内にて直線状部４１１に留まり、固定された状態にあるので、接続部３に接続された先端工具５について回転させる等の操作を行っても、スライド部材４２が接続部３側に不用意にスライドして、先端工具５をロックしてしまうことが防止される。
【００４６】
図４において、スライド部材４２が先端工具５のアダプタに当接して固定部４が先端工具５をロックした状態が示されている。この状態において、スライド部材４２は、芯部分４１の傾斜部４１３の位置にあり、押圧部４２２の当部４２２ａは、傾斜部４１３の芯部分４１の軸心側に向かって窄むように傾斜する傾斜面を四方から芯部分４１の径方向に押圧している。このため、スライド部材４２には接続部３側に向かう力が働き、スライド部材４２は接続部３側にスライドし続けようとするので、スライド部材４２は接続部３に接続されたアダプタに強く当接する。そして、スライド部材４２が傾斜部４１３の側面に当部４２２ａが接しながら接続部３とは反対側にスライドするには、コイルスプリング４２２ｂを縮小させるための大きな力を必要とする。更には、スライド部材４２の操作部４２３の棒状部分４２３ａが有する磁石４４は、スライド部材４２が先端工具５のアダプタに当接した状態でカバー部材４３のスリット部４３１が接続部３側端に有する磁石４５と吸着されている。
【００４７】
よって、スライド部材４２は接続部３に接続された先端工具５のアダプタに当接した状態を維持するので、スライド部材４２とアダプタとの間に隙間がある等して、先端工具５がガタつくことがなく、先端工具５が接続部３から外れて落下したり、作業員が不用意に共用操作棒１の安全限界ツバよりも接続部３側を持って感電したりすることもない。
【００４８】
そして、スライド部材４２が図３に示されるように芯部分４１の直線状部４１１にある位置から図４に示される芯部分４１の傾斜部４１３に移行することで先端工具５のロックが行われ、反対に、スライド部材４２が図４に示されるように芯部分４１の傾斜部４１３にある位置から図３に示される芯部分４１の直線状部４１１に移行することで先端工具５のロックが解除されるところ、図５に示されるように、スライド部材４２が芯部分４１の傾斜部４１２と傾斜部４１３との境界の突部（芯部分４１の最も径方向に突出した部分）に至ったときには、スライド部材４２に対し芯部分４１の軸方向に向けて相対的に大きな力を加えることで、押圧部４２２のコイルスプリング４２２ｂは最も収縮された状態となり、これに伴い、押圧部４２２の当部４２２ａはスライド部材４２の円環状部４２１の装着孔４２１ｂ内に収納されるので、スライド部材４２は芯部分４１の傾斜部４１２と傾斜部４１３との境界の突部を越えることができる。
【００４９】
そして、スライド部材４２に対し芯部分４１の軸方向に向けて相対的に大きな力を加える方法としては、スライド部材４２を接続部３側にスライドさせる場合には、図６（ａ）に示されるように、例えば間接活線作業用工具であるバインド打器６のフック６１の背で操作部４２３の棒状部分４２３ａを矢印方向に押し上げる方法を採ることが可能である。また、スライド部材４２を接続部３とは反対側にスライドさせる場合には、図６（ｂ）に示されるように、同上のバインド打器６のフック６１を操作部４２３の棒状部分４２３ａに引き掛けて、スライド部材４２を引き下げる方法を採ることが可能である。よって、共用操作棒１の接続部３に接続された先端工具５のロックとロックの解除も作業員が間接活線作業用工具を利用して遠方から操作する間接活線作工法として行うことが可能である。
【符号の説明】
【００５０】
１  共用操作棒
２  操作棒本体（棒状部材）
３  接続部
３１  頭部
３２  突起部
３３  側方突起部
４  固定部
４１  芯部分
４１１  直線状部
４１２  傾斜部（第１の傾斜部）
４１３  傾斜部（第２の傾斜部）
４２  スライド部材
４２１  円環状部
４２１ａ  貫通孔
４２１ｂ  装着孔
４２２  押圧部
４２２ａ  当部
４２２ｂ  コイルスプリング
４２３  操作部
４２３ａ  棒状部分
４２３ｂ  頭
４３  カバー部材
４３１  操作部挿通部
４４  磁石
４５  磁石（第１の磁石、第２の磁石）
５  先端工具（間接活線作業用の工具）
６  バインド打器
６１  フック
【図１】
2013102629.tif 000003
【図２】
2013102629.tif 000004
【図３】
2013102629.tif 000005
【図４】
2013102629.tif 000006
【図５】
2013102629.tif 000007
【図６】
2013102629.tif 000008